(57)【特許請求の範囲】
【請求項１】
底部と該底部の一方の相対する土手部にヒンジ連結された一方の相対する側壁と前記底部のもう一方の相対する土手部にヒンジ連結されたもう一方の相対する側壁とを有する折り畳みコンテナーにおいて、底部に配設された雌ヒンジ部材の切欠き凹部を構成する側端面に突設された係合突片部に、垂直側壁持ち上がり防止用フックを形成するとともに、前記側端面と相対する側端面側に位置する内側垂直部の内面に、水平側壁持ち上がり防止用フックを形成し、また、側壁に配設された雄ヒンジ部材を構成する支持ブロックの一方の側面の下端部に、水平側壁持ち上がり防止用ブロック部を形成するとともに、もう一方の側面の下端部に、垂直側壁持ち上がり防止用ブロック部を形成し、更に、水平状態の側壁を垂直方向に回動させる際に、垂直側壁持ち上がり防止用ブロック部の側壁の下端フランジと相対する水平上面が、底部に配設されている雌ヒンジ部材を構成する縦孔の外側垂直壁と相対する垂直側壁持ち上がり防止用フックの垂直面と垂直側壁持ち上がり防止用フックの庇部とにより形成される角部に当接するように構成されていることを特徴とする折り畳みコンテナー。
【発明の詳細な説明】
【技術分野】
【０００１】
本発明は、底部と、底部の一方の相対する土手部にヒンジ連結された一方の相対する側壁と、底部のもう一方の相対する土手部にヒンジ連結されたもう一方の相対する側壁とから構成されている折り畳みコンテナーに関するものであり、箱型に組み立てられた状態から、一方の相対する側壁を底部に重なるように倒し、次いで、もう一方の相対する側壁を、先に倒された一方の相対する側壁に重なるように倒すことにより、折り畳むことができるように構成されている。
【背景技術】
【０００２】
側壁に形成された雄ヒンジ部材が、底部の土手部に形成された雌ヒンジ部材に対して、上下方向に自由に移動できないタイプ、換言すれば、雄ヒンジ部材と雌ヒンジ部材とによるヒンジ連結部が、上下方向に、実質的に移動できないタイプの折り畳みコンテナーにおいて、一方の相対する側壁を倒した際に、側壁の先端部が互いに重なるように構成されている場合には、先に倒された側壁の上に重ねられる側壁が、ヒンジ連結部を支点として、傾斜して倒されることになる。このように、側壁が、傾斜して倒されるように構成された折り畳みコンテナーにおいては、折り畳まれた状態における折り畳みコンテナーの高さが高くなり、従って、折り畳みコンテナーの収容効率が低下することになる。
【０００３】
上述した課題を解決するために、底部の土手部に形成された雌ヒンジ部の凹部の深さを深くして、底部の土手部に形成された雌ヒンジ部に対して、側壁に形成された雄ヒンジ部材が、雌ヒンジ部の凹部内を、上下方向に自由に移動できるようにしたタイプ、換言すれば、雄ヒンジ部材と雌ヒンジ部材とによるヒンジ連結部が、上下方向に、移動可能なタイプの折り畳みコンテナーが知られているが、このようなタイプの折り畳みコンテナーが箱型に組み立てられた際には、ヒンジ連結部が、上下方向に移動可能であるために、作業者が、側壁を持って、箱型に組み立てられた折り畳みコンテナーを持ち上げようとすると、側壁が、底部から持ち上がるという問題があった。
【０００４】
上述した課題を解決するために、本出願人は、本出願人の先の出願である特許文献１において、側壁に形成された雄ヒンジ部材に、折り畳まれ水平状態にある側壁の持ち上がりを防止するブロック部と組み立てられ垂直状態にある側壁の持ち上がりを防止するブロック部とを形成した折り畳みコンテナーを提案した。
【０００５】
【特許文献１】特願２００７−２０２６７０
【０００６】
以下に、図９〜図２２を用いて、上述した先の出願に係る発明について説明する。
【０００７】
先ず最初に、図９及び図１０を用いて、折り畳みコンテナーの全体構成について説明する。
【０００８】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、長辺側土手部１ａの高さは、短辺側土手部１ｂの高さより、低く形成されている。また、長辺側土手部１ａ及び短辺側土手部１ｂには、後述する雌ヒンジ部材Ｈ１が、所定の間隔で適当数、配設されている。
【０００９】
２は、長側壁であり、長側壁２の下端フランジ２ａの裏面には、底部１の長辺側土手部１ａに配設された雌ヒンジ部材Ｈ１に対応して、後述する雄ヒンジ部材Ｈ２が配設されている。３は、短側壁であり、短側壁３の下端フランジ３ａの裏面にも、底部１の短側壁土手部１ｂに配設された雌ヒンジ部材Ｈ１に対応して、後述する雄ヒンジ部材Ｈ２が配設されている。
【００１０】
長側壁２の下端フランジ２ａに配設された雄ヒンジ部材Ｈ２と底部１の長辺側土手部１ａに配設された雌ヒンジ部材Ｈ１とを連結することにより、長側壁２が、底部１にヒンジ連結され、また、短側壁３の下端フランジ３ａに配設された雄ヒンジ部材Ｈ２と底部１の短辺側土手部１ｂに配設された雌ヒンジ部材Ｈ１とを連結することにより、短側壁３が、底部１にヒンジ連結されて、折り畳みコンテナーが構成されることになる。
【００１１】
図１０に示されているように、折り畳まれた状態から、図９に示されているように、箱型に組み立てるには、先ず最初に、略水平状態の短側壁３を、略垂直に立て、次いで、長側壁２を、略垂直に立てることにより、折り畳みコンテナーが、箱型に組み立てられることになる。また、箱型に組み立てられた折り畳みコンテナーを、折り畳むには、先ず最初に、長側壁２を底部１に重なるように倒し、次いで、短側壁３を、先に倒された長側壁２に重なるように倒すことにより、折り畳みコンテナーが、折り畳まれることになる。
【００１２】
折り畳まれた状態においては、長側壁２の先端部が、互いに部分的に重なり合うように構成されており、同様に、短側壁３の先端部も、互いに部分的に重なり合うように構成されている。
【００１３】
次に、図１１〜図１３を用いて、底部１の長辺側土手部１ａに配設されている雌ヒンジ部材Ｈ１を例に、雌ヒンジ部材Ｈ１について説明する。なお、底部１の短辺側土手部１ｂに配設されている雌ヒンジ部材Ｈ１も、実質的に、長辺側土手部１ａに配設されている雌ヒンジ部材Ｈ１と同じであるので、その詳細な説明は省略する。
【００１４】
雌ヒンジ部材Ｈ１には、後述する雄ヒンジ部材Ｈ２が嵌合可能な、平面形状が長方形の縦孔４が形成されており、この縦孔４は、長辺側土手部１ａの外壁１ａ１を上方に延在することにより形成された外側垂直壁４ａと、長辺側土手部１ａの内壁１ａ２を上方に延在することにより形成された内側垂直壁４ｂと、外側垂直壁４ａの両端と内側垂直壁４ｂの両端を連結する相対する垂直短壁４ｃとにより囲まれている。また、内側垂直壁４ｂには、その上端が、縦孔４に連接された切欠き凹部５が形成されている。
【００１５】
切欠き凹部５を構成する相対する側端面５ａ、５ｂのうち、一方の側端面５ａは、底板１ｃ付近まで延在する上部垂直部５ａ１と、該上部垂直部５ａ１の下端から、もう一方の側端面５ｂ方向に延在する水平部５ａ２と、該水平部５ａ２の先端から、下方に延在する下部垂直部５ａ３とにより形成されている。
【００１６】
もう一方の側端面５ｂは、一方の側端面５ａの上部垂直部５ａ１より高さの低い上部垂直部５ｂ１と、該上部垂直部５ｂ１の下端から、一方の側端面５ａから離反する方向に延在する水平部５ｂ２と、該水平部５ｂ２の先端から、下方に延在する下部垂直部５ｂ３とにより形成されている。
【００１７】
一方の側端面５ａともう一方の側端面５ｂとの間に位置する切欠き凹部５の上部領域は、縦孔４の略中央部に位置しており、また、もう一方の側端面５ｂを形成する下部垂直部５ｂ３は、縦孔４を形成する垂直短壁４ｃと略面一になるように構成されている。
【００１８】
また、雌ヒンジ部材Ｈ１には、一方の側端面５ａを形成する水平部５ａ２と、縦孔４を形成する外側垂直壁４ａと内側垂直壁４ｂと一方の垂直短壁４ｃとに連接された水平段部６が形成されている。
【００１９】
更に、もう一方の側端面５ｂには、内側垂直壁４ｂの上端面と上部垂直部５ｂ１と水平部５ｂ２とにより区画された、一方の側端面５ａの上部垂直部５ａ１方向に延在する係合突片部７が形成されている。
【００２０】
係合突片部７が形成されていない側に位置する内側垂直壁４ｂの内面（外側垂直壁４ａと相対する面）の上端部には、ブロック状のフック８が突設されてお、このフック８は、略水平状態に折り畳まれた状態の長側壁２の持ち上がりを防止するためのものであり、以下、このフック８を、便宜的に、水平側壁持ち上がり防止用フックと称する。
【００２１】
また、突片部７の内面（外側垂直壁４ａと相対する面）には、上述した水平側壁持ち上がり防止用フック８と同様のブロック状のフック９が突設されており、このフック９は、略垂直状態に立てられた状態の長側壁２の持ち上がりを防止するためのものであり、以下、このフック９を、便宜的に、垂直側壁持ち上がり防止用フックと称する。
【００２２】
上述した外側垂直壁４ａと内側垂直壁４ｂと相対する垂直短壁４ｃとにより囲まれて縦孔４、切欠き凹部５、係合突片部７、水平側壁持ち上がり防止用フック８及び垂直側壁持ち上がり防止用フック９等により、雌ヒンジ部材Ｈ１が構成されている。
【００２３】
次に、図１４〜図１６を用いて、長側壁２に配設された雄ヒンジ部材Ｈ２について説明する。なお、短側壁３に配設されている雄ヒンジ部材Ｈ２も、実質的に、長側壁２に配設されている雄ヒンジ部材Ｈ２と同じであるので、その詳細な説明は省略する。
【００２４】
一方、長側壁２の板状部２ｂに垂直な下端フランジ２ａの裏面には、雄ヒンジ部材Ｈ２が形成されており、雄ヒンジ部材Ｈ２は、下端フランジ２ａの裏面に垂設された支持ブロック１０を有している。
【００２５】
長側壁２の板状部２ｂに対して垂直な、支持ブロック１０の相対する側面１０ａ、１０ｂの一方の側面１０ａの下端部には、該側面１０ａに対して垂直なブロック部１１が形成されており、このブロック部１１は、折り畳まれた水平状態にある長側壁２が持ち上げられた際には、底部１の長辺側土手部１ａに形成された雌ヒンジ部材Ｈ１を構成する水平側壁持ち上がり防止用フック８の庇部８ａに当接するようにように構成されている。以下、このブロック部１１を、水平側壁持ち上がり防止用ブロック部と称する。水平側壁持ち上がり防止用ブロック部１１の内面（箱型に組み立てられた折り畳みコンテナーの内部側に位置する面）１１ａは、支持ブロック１０の内面（箱型に組み立てられた折り畳みコンテナーの内部側に位置する面）１０ｃと略面一に形成されている。
【００２６】
また、長側壁２の板状部２ｂに対して垂直な、支持ブロック１０の相対する側面１０ａ、１０ｂのうちのもう一方の側面１０ｂの下端部には、該側面１０ｂに対して垂直なブロック部１２が形成されており、このブロック部１２には、支持ブロック１０の内面１０ｃを越える係止膨出部１２ａが形成されている。長側壁２が、略垂直に立てられた際には、ブロック部１２が、底部１の長辺側土手部１ａに形成された雌ヒンジ部材Ｈ１を構成する垂直側壁持ち上がり防止用フック９の庇部９ａに入り込み、垂直側壁持ち上がり防止用フック９の庇部９ａに当接、或いは、垂直側壁持ち上がり防止用フック９の庇部９ａに接近して位置するように構成されている。以下、このブロック部１２を、垂直側壁持ち上がり防止用ブロック部と称する。
【００２７】
上述した長側壁２の下端フランジ２ａに配設された支持ブロック１０と水平側壁持ち上がり防止用ブロック部１１と垂直側壁持ち上がり防止用ブロック部１２とにより、雄ヒンジ部材Ｈ２が構成されている。
【００２８】
底部１の長辺側土手部１ａに配設された雌ヒンジ部材Ｈ１と長側壁２に配設された雄ヒンジ部材Ｈ２とをヒンジ連結し、また、底部１の短辺側土手部１ｂに配設された雌ヒンジ部材Ｈ１と短側壁３に配設された雄ヒンジ部材Ｈ２とをヒンジ連結することにより、底部１に、長側壁２と短側壁４が組み付けられることになる。
【００２９】
次に、図１７〜図１９を用いて、折り畳みコンテナーが箱型に組み立てられた状態における、底部１に配設された雌ヒンジ部材Ｈ１と長側壁２に配設された雄ヒンジ部材Ｈ２とのヒンジ連結部について説明する。
【００３０】
折り畳みコンテナーが箱型に組み立てられ、長側壁２が、略垂直に立てられた際には、長側壁２に配設された雄ヒンジ部材Ｈ２を構成する垂直側壁持ち上がり防止用ブロック部１２が、底部１の長辺側土手部１ａに形成された雌ヒンジ部材Ｈ１を構成する垂直側壁持ち上がり防止用フック９の庇部９ａに入り込み、垂直側壁持ち上がり防止用フック９の庇部９ａに当接、或いは、垂直側壁持ち上がり防止用フック９の庇部９ａに接近して位置するように構成されており、従って、長側壁２の上方への持ち上げが阻止されるように構成されている。
【００３１】
また、折り畳みコンテナーが箱型に組み立てられ、長側壁２が、略垂直に立てられた際には、長側壁２に配設された雄ヒンジ部材Ｈ２を構成する水平側壁持ち上がり防止用ブロック部１１が、底部１の長辺側土手部１ａに形成された雌ヒンジ部材Ｈ１を構成する水平側壁持ち上がり防止用フック８から、所定距離、離れた、庇部８ａの下方に位置するように構成されているが、上述したように、長側壁２に配設された雄ヒンジ部材Ｈ２を構成する垂直側壁持ち上がり防止用ブロック部１２が、底部１の長辺側土手部１ａに形成された雌ヒンジ部材Ｈ１を構成する垂直側壁持ち上がり防止用フック９の庇部９ａに入り込み、垂直側壁持ち上がり防止用フック９の庇部９ａに当接、或いは、垂直側壁持ち上がり防止用フック９の庇部９ａに接近して位置するように構成されているので、長側壁２が持ち上げられるようなことはない。
【００３２】
次に、図２０〜図２２を用いて、折り畳みコンテナーが折り畳まれた状態における、底部１に配設された雌ヒンジ部材Ｈ１と長側壁２に配設された雄ヒンジ部材Ｈ２とのヒンジ連結部について説明する。
【００３３】
箱型に組み立てられた折り畳みコンテナーを折り畳む際には、一方の相対する長側壁２のうち、一方の長側壁２が、底部１に重なるように、略水平に倒され、次いで、もう一方の長側壁２が、先に倒された長側壁２の上に、略水平に倒されることになる。このように、後から倒される長側壁３を、略水平に倒すことができるのは、特許文献１に記載されているように、雌ヒンジ部材Ｈ１に形成された切欠き凹部５が、雄ヒンジ部材Ｈ２を構成する支持ブロック１０の厚さ（長側壁２の板状部２ｂに対して垂直方向の厚さ）の略２倍の深さを有するように構成されているからである。
【００３４】
折り畳みコンテナーが折り畳まれ、長側壁２が、略水平に倒された際には、後から倒された長側壁２に配設された雄ヒンジ部材Ｈ２を構成する水平側壁持ち上がり防止用ブロック部１１が、底部１の長辺側土手部１ａに形成された雌ヒンジ部材Ｈ１を構成する水平側壁持ち上がり防止用フック８の庇部８ａに当接、或いは、水平側壁持ち上がり防止用フック８の庇部８ａに接近して位置するように構成されている。従って、後から倒された長側壁２が、上方に持ち上げられても、長側壁２に配設された雄ヒンジ部材Ｈ２を構成する水平側壁持ち上がり防止用ブロック部１１が、底部１の長辺側土手部１ａに形成された雌ヒンジ部材Ｈ１を構成する水平側壁持ち上がり防止用フック８の庇部８ａに当接し、底部１と長側壁２とのヒンジ連結が解除されるようなことがない。
【００３５】
また、長側壁２が、略水平に倒された際には、長側壁２に配設された雄ヒンジ部材Ｈ２を構成する垂直側壁持ち上がり防止用ブロック部１２が、底部１の長辺側土手部１ａに形成された雌ヒンジ部材Ｈ１を構成する垂直側壁持ち上がり防止用フック９の庇部９ａから離れて位置しても、上述したように、長側壁２に配設された雄ヒンジ部材Ｈ２を構成する水平側壁持ち上がり防止用ブロック部１１が、底部１の長辺側土手部１ａに形成された雌ヒンジ部材Ｈ１を構成する水平側壁持ち上がり防止用フック８の庇部８ａに当接することになり、従って、底部１と長側壁２とのヒンジ連結が解除されるようなことがない。
【発明の開示】
【発明が解決しようとする課題】
【００３６】
以下に、発明が解決しようとする課題について説明するが、先ず最初に、図２３及び図２４を用いて、倒された略水平状態の長側壁２における雄ヒンジ部材Ｈ２を構成する垂直側壁持ち上がり防止用ブロック部１２の要部を、底部１に配設された雌ヒンジ部材Ｈ１を構成する垂直側壁持ち上がり防止用フック９との関係において説明する。
【００３７】
長側壁２が略水平状態において、垂直側壁持ち上がり防止用ブロック部１２の垂直側壁持ち上がり防止用フック９側に位置し、且つ、上方に位置する角部を、上部角部と称し、符号１２ｂを付すとともに、垂直側壁持ち上がり防止用ブロック部１２の垂直側壁持ち上がり防止用フック９側に位置し、且つ、下方に位置する角部を、下部角部と称し、符号１２ｃを付すこととする。長側壁２が略垂直に立てられた際には、上部角部１２ｂは、底部１の長辺側土手部１ａに形成された縦孔４を構成する外側垂直壁４ａ側に位置し、また、下部角部１２ｃは、箱型に組み立てられた折り畳みコンテナーの内部側に位置することになる。
【００３８】
ところで、折り畳まれた状態の折り畳みコンテナーを、箱型に組み立てる際に、例えば、略水平に倒された状態の長側壁２を、垂直方向に回動させることになるが、図２３及び図２４に示されているように、水平状態の長側壁２の一方の側端部２’が持ち上げられていると、長側壁２に配設された雄ヒンジ部材Ｈ２を構成する垂直側壁持ち上がり防止用ブロック部１２が、底部１の長辺側土手部１ａに形成された雌ヒンジ部材Ｈ１を構成する垂直側壁持ち上がり防止用フック９と雄ヒンジ部材Ｈ２が嵌合可能な縦孔４を構成する外側垂直壁４ａとの間に位置する場合がある。このような状態で、長側壁２を、垂直方向に回動させると、図２５に示されているように、下部角部１２ｃが、外側垂直壁４ａと相対する垂直側壁持ち上がり防止用フック９の垂直面９ｂに当接するとともに、雄ヒンジ部材Ｈ２を構成する垂直なブロック部１１が、外側垂直壁４ａの内面４ａ１に当接し、長側壁２の垂直方向への回動が阻止されるという問題があった。
【００３９】
本発明の目的は、先の出願における折り畳みコンテナーが有する課題を解決することにある。
【課題を解決するための手段】
【００４０】
本発明は、上述した目的を達成するために、底部と該底部の一方の相対する土手部にヒンジ連結された一方の相対する側壁と前記底部のもう一方の相対する土手部にヒンジ連結されたもう一方の相対する側壁とを有する折り畳みコンテナーにおいて、底部に配設された雌ヒンジ部材の切欠き凹部を構成する側端面に突設された係合突片部に、垂直側壁持ち上がり防止用フックを形成するとともに、前記側端面と相対する側端面側に位置する内側垂直部の内面に、水平側壁持ち上がり防止用フックを形成し、また、側壁に配設された雄ヒンジ部材を構成する支持ブロックの一方の側面の下端部に、水平側壁持ち上がり防止用ブロック部を形成するとともに、もう一方の側面の下端部に、垂直側壁持ち上がり防止用ブロック部を形成し、更に、水平状態の側壁を垂直方向に回動させる際に、垂直側壁持ち上がり防止用ブロック部の側壁の下端フランジと相対する水平上面が、底部に配設されている雌ヒンジ部材を構成する縦孔の外側垂直壁と相対する垂直側壁持ち上がり防止用フックの垂直面と垂直側壁持ち上がり防止用フックの庇部とにより形成される角部に当接するように構成したものである。
【発明の効果】
【００４１】
底部に配設された雌ヒンジ部材の切欠き凹部を構成する側端面に突設された係合突片部に、垂直側壁持ち上がり防止用フックを形成するとともに、前記側端面と相対する側端面側に位置する内側垂直部の内面に、水平側壁持ち上がり防止用フックを形成し、また、側壁に配設された雄ヒンジ部材を構成する支持ブロックの一方の側面の下端部に、水平側壁持ち上がり防止用ブロック部を形成するとともに、もう一方の側面の下端部に、垂直側壁持ち上がり防止用ブロック部を形成し、更に、水平状態の側壁を垂直方向に回動させる際に、垂直側壁持ち上がり防止用ブロック部の側壁の下端フランジと相対する水平上面が、底部に配設されている雌ヒンジ部材を構成する縦孔の外側垂直壁と相対する垂直側壁持ち上がり防止用フックの垂直面と垂直側壁持ち上がり防止用フックの庇部とにより形成される角部に当接するように構成したことにより、側壁に配設された雄ヒンジ部材を構成する垂直側壁持ち上がり防止用ブロック部の下部角部が、底部に配設された雌ヒンジ部材を構成する外側垂直壁と相対する垂直側壁持ち上がり防止用フックの垂直面に当接するとともに、雄ヒンジ部材を構成する垂直なブロック部が、外側垂直壁に当接し、側壁の垂直方向への回動が阻止されるというようなことを防止することができる。
【実施例】
【００４２】
以下に、本発明の実施例について説明するが、本発明の趣旨を越えない限り、何ら、本実施例に限定されるものではない。なお、以下においては、上述した先の出願の発明との構成上の相違点のみを説明し、同じ構成については、同じ符号を使用し、その詳細な説明は省略する。また、以下においては、上述したと同様に、長辺側土手部１ａに配設された雌ヒンジ部材Ｈ１を有する底部１と、雌ヒンジ部材Ｈ１にヒンジ連結される雄ヒンジ部材Ｈ２を有する長側壁２とを用いて、本発明について説明するが、短辺側土手部１ｂに配設された雌ヒンジ部材Ｈ１を有する底部１と、雌ヒンジ部材Ｈ１にヒンジ連結される雄ヒンジ部材Ｈ２を有する短側壁３についても同じであるので、その説明は省略する。
【００４３】
先の出願の図１３に示されている、底部１の長辺側土手部１ａに配設されている雌ヒンジ部材Ｈ１を構成する縦孔４の外側垂直壁４ａと相対する垂直側壁持ち上がり防止用フック９の垂直面９ｂと、垂直側壁持ち上がり防止用フック９の庇部９ａとにより形成される角部９ｃを削除して、本発明においては、図１に示されているように、角部湾曲面９ｄを形成したものである。なお、角部湾曲面９ｄを傾斜面とすることもできる。
【００４４】
上述したように、垂直側壁持ち上がり防止用フック９の縦孔４の外側垂直壁４ａと相対する垂直面９ｂと庇部９ａとにより形成される角部に角部湾曲面９ｄが形成されているので、図２３に示されているように、水平状態の長側壁２の一方の側端部２’が持ち上げられても、図２に示されているように、垂直側壁持ち上がり防止用ブロック部１２の上部角部１２ｂが、垂直側壁持ち上がり防止用フック９に形成された角部湾曲面９ｄの範囲内に位置していれば、この状態で、長側壁２を、垂直方向に回動することにより、雄ヒンジ部材Ｈ２を構成する垂直なブロック部１１が、外側垂直壁４ａの内面４ａ１に当接したとしても、図３に示されているように、垂直側壁持ち上がり防止用ブロック部１２の長側壁２の下端フランジ２ａと相対する水平上面１２ｄ或いは垂直側壁持ち上がり防止用ブロック部１２の上部角部１２ｂが、垂直側壁持ち上がり防止用フック９に形成された角部湾曲面９ｄに当接するとともに、雄ヒンジ部材Ｈ２を構成する垂直なブロック部１１が、外側垂直壁４ａの内面４ａ１に当接していることによる反力により、垂直側壁持ち上がり防止用ブロック部１２が、垂直側壁持ち上がり防止用フック９に形成された角部湾曲面９ｄに沿って、垂直側壁持ち上がり防止用フック９の庇部９ａに、円滑に、入り込むことができるので、長側壁２の垂直方向への回動が阻止されるようなことがない。
【００４５】
次に、図５〜図８を用いて、本発明の別の実施例について説明する。
【００４６】
この実施例は、長側壁２に配設された雄ヒンジ部材Ｈ２を構成する係止膨出部１２ａの支持ブロック１０からの突出量Ｐ１を、上述した先の出願における係止膨出部１２ａの支持ブロック１０からの突出量Ｐ２（図１５）より、大きくしたものである。
【００４７】
上述したように構成することにより、図２３に示されているように、水平状態の長側壁２の一方の側端部２’が持ち上げられても、図６に示されているように、長側壁２の垂直方向への回動の際に、垂直側壁持ち上がり防止用ブロック部１２の長側壁２の下端フランジ２ａと相対する水平上面１２ｄが、垂直側壁持ち上がり防止用フック９の垂直面９ｂと庇部９ａとにより形成される角部９ｃに当接する可能性が、上述した先の出願と比べて、高くなり、従って、雄ヒンジ部材Ｈ２を構成する垂直なブロック部１１が、外側垂直壁４ａの内面４ａ１に当接していることによる反力により、垂直側壁持ち上がり防止用ブロック部１２の水平上面１２ｄが、垂直側壁持ち上がり防止用フック９の角部９ｃに沿って、垂直側壁持ち上がり防止用フック９の庇部９ａに、円滑に、入り込むことができるので、長側壁２の垂直方向への回動が阻止されるようなことがない。
【図面の簡単な説明】
【００４８】
【図１】図１は、本発明の折り畳みコンテナーのヒンジ連結部付近の部分垂直断面図である。
【図２】図２は、図１と同様の本発明の折り畳みコンテナーのヒンジ連結部付近の部分垂直断面図である。
【図３】図３は、同じく、図１と同様の本発明の折り畳みコンテナーのヒンジ連結部付近の部分垂直断面図である。
【図４】図４は、同じく、図１と同様の本発明の折り畳みコンテナーのヒンジ連結部付近の部分垂直断面図である。
【図５】図５は、本発明の折り畳みコンテナーのヒンジ連結部付近部分斜視図である。
【図６】図６は、図５に示されている本発明の折り畳みコンテナーのヒンジ連結部付近の部分垂直断面図である。
【図７】図７は、図６と同様の本発明の折り畳みコンテナーのヒンジ連結部付近の部分垂直断面図である。
【図８】図８は、図６と同様の本発明の折り畳みコンテナーのヒンジ連結部付近の部分垂直断面図である。
【図９】図９は、先の出願に係る発明の折り畳みコンテナーが箱型に組み立てられた状態の斜視図である。
【図１０】図１０は、先の出願に係る発明の折り畳みコンテナーが折り畳まれた状態の斜視図である。
【図１１】図１１は、先の出願に係る発明の折り畳みコンテナーを構成する底部の斜視図である。
【図１２】図１２は、先の出願に係る発明の折り畳みコンテナーを構成する底部に配設された雌ヒンジ部材の拡大斜視図である。
【図１３】図１３は、同じく、先の出願に係る発明の折り畳みコンテナーを構成する底部に配設された雌ヒンジ部材の拡大斜視図である。
【図１４】図１４は、先の出願に係る発明の折り畳みコンテナーを構成する長側壁の斜視図である。
【図１５】図１５は、先の出願に係る発明の折り畳みコンテナーを構成する長側壁に配設された雄ヒンジ部材の拡大斜視図である。
【図１６】図１６は、同じく、先の出願に係る発明の折り畳みコンテナーを構成する長側壁に配設された雄ヒンジ部材の拡大斜視図である。
【図１７】図１７は、先の出願に係る発明の折り畳みコンテナーが箱型に組み立てられた状態の短側壁に沿った部分垂直断面図である。
【図１８】図１８は、図１７に示されているヒンジ連結部付近の部分垂直断面図である。
【図１９】図１９は、図１７に示されているヒンジ連結部付近の部分拡大斜視図である。
【図２０】図０２は、先の出願に係る発明の折り畳みコンテナーが折り畳まれた状態の短側壁に沿った部分垂直断面図である。
【図２１】図２１は、図２０に示されているヒンジ連結部付近の部分垂直断面図である。
【図２２】図２２は、図２０に示されているヒンジ連結部付近の更なる部分垂直断面図である。
【図２３】図２３は、先の出願に係る発明の折り畳みコンテナーが折り畳まれた状態の一部垂直断面を含む部分斜視図である。
【図２４】図２４は、図２３に示されている折り畳みコンテナーのヒンジ連結部付近の部分垂直断面図である。
【図２５】図２５は、図２４と同様の折り畳みコンテナーのヒンジ連結部付近の部分拡大垂直断面図である。
【符号の説明】
【００４９】
Ｈ１・・・・・・・・・・・・・・雌ヒンジ部材
Ｈ２・・・・・・・・・・・・・・雄ヒンジ部材
１・・・・・・・・・・・・・・・底部
２・・・・・・・・・・・・・・・長側壁
３・・・・・・・・・・・・・・・短側壁
７・・・・・・・・・・・・・・・係合突片部
８・・・・・・・・・・・・・・・水平側壁持ち上がり防止用フック
９・・・・・・・・・・・・・・・垂直側壁持ち上がり防止用フック
９ｄ・・・・・・・・・・・・・・角部湾曲面
１０・・・・・・・・・・・・・・支持ブロック
１１・・・・・・・・・・・・・・水平側壁持ち上がり防止用ブロック部
１２・・・・・・・・・・・・・・垂直側壁持ち上がり防止用ブロック部
【図１】
0004939356.tif 000002
【図２】
0004939356.tif 000003
【図３】
0004939356.tif 000004
【図４】
0004939356.tif 000005
【図５】
0004939356.tif 000006
【図６】
0004939356.tif 000007
【図７】
0004939356.tif 000008
【図８】
0004939356.tif 000009
【図９】
0004939356.tif 000010
【図１０】
0004939356.tif 000011
【図１１】
0004939356.tif 000012
【図１２】
0004939356.tif 000013
【図１３】
0004939356.tif 000014
【図１４】
0004939356.tif 000015
【図１５】
0004939356.tif 000016
【図１６】
0004939356.tif 000017
【図１７】
0004939356.tif 000018
【図１８】
0004939356.tif 000019
【図１９】
0004939356.tif 000020
【図２０】
0004939356.tif 000021
【図２１】
0004939356.tif 000022
【図２２】
0004939356.tif 000023
【図２３】
0004939356.tif 000024
【図２４】
0004939356.tif 000025
【図２５】
0004939356.tif 000026